(57)【要約】  薬物送達デバイス（１００）は、薬物（１０４）を保持するための容器（１０１）、及び容器（１０１）内に少なくとも部分的に配置され、そして容器（１０１）に対して軸方向に変位可能なピストン（１０２）を含む。ピストン（１０２）は、容器（１０１）の内面（１１２）から距離を開けて少なくとも部分的に配置され、それによりピストン（１０２）と容器（１０１）の間に溝（１１６）を備え付ける。デバイス（１００）はシール（１０３）を更に含み、ここで、シール（１０３）は、近位でチャンネル（１１６）を制限するために配置される。【選択図】図１Ａ
2013504397.tif 000002
【特許請求の範囲】
【請求項１】
−近位端（１０７）及び遠位端（１１５）を有し、薬物領域（１１４）に薬物（１０４）を保持するための容器（１０１）、
−容器（１０１）内に少なくとも部分的に配置され、そして容器（１０１）から薬物（１０４）の用量を投与するために、容器（１０１）に対して遠位方向に変位可能である、ピストン（１０２）、及び
−シール（１０３）、
を含んでなる、薬物送達デバイス（１００）であって：ここで、
−ピストン（１０２）が、容器（１０１）の内面（１１２）から距離を開けて少なくとも部分的に配置され、それによりピストン（１０２）と容器（１０１）の間にチャンネル（１１６）を備え付け、そしてチャンネル（１１６）がピストン（１０２）に沿って伸び、そして薬物領域（１１４）と流体連通し、
−シール（１０３）がチャンネル（１１６）を近位に制限するために配置され、そして
−ピストン（１０２）がシール（１０３）に対して遠位方向に変位可能である、
上記薬物送達デバイス（１００）。
【請求項２】
シール（１０３）が容器（１０１）に対する動きに抗して固定される、請求項１に記載の薬物送達デバイス（１００）。
【請求項３】
シール（１０３）が容器（１０１）に固定される、請求項１又は２に記載の薬物送達デバイス（１００）。
【請求項４】
シール（１０３）が容器（１０１）の近位端（１０７）に配置される、請求項１〜３の何れかに記載の薬物送達デバイス（１００）。
【請求項５】
チャンネル（１１６）の長さは、ピストン（１０２）がシール（１０３）に対して遠位方向に変位するときに増大する、請求項１〜４の何れかに記載の薬物送達デバイス（１００）。
【請求項６】
シール（１０３）が環状であり、そしてピストン（１０２）を側面に沿って囲む、請求項１〜５の何れかに記載の薬物送達デバイス（１００）。
【請求項７】
請求項１〜６の何れかに記載の薬物送達デバイス（１００）であって：
−ピストン（１０２）が、用量を投与するために、薬物（１０４）に圧力を及ぼすことが可能であり、ここで、
−薬物（１０４）が圧力の少なくとも一部をシール（１０３）上に伝達し、そして
−容器（１０１）へのシール（１０３）の取り付けが、用量を投与するときに、シール（１０３）上に薬物（１０４）によって及ぼされる圧力に耐え得る、
上記薬物送達デバイス（１００）。
【請求項８】
−シール（１０３）が開口部（１２２）を含んでなり、そして
−開口部（１２２）の断面が、シール（１０３）及びピストン（１０２）が、共通の接触エリア（１２３）を含むように、ピストン（１０２）の断面に適合される：
請求項１〜７の何れかに記載の薬物送達デバイス（１００）。
【請求項９】
用量の投与中にシール（１０３）を通して案内されるように意図されるピストン（１０２）の少なくとも部分が、その縦軸に沿って一定の断面（１０６）を含んでなる、請求項１〜８の何れかに記載の薬物送達デバイス（１００）。
【請求項１０】
ピストン（１０２）が剛性のコア（６０１）及び外側シェル（６０２）を含んでなり、ここで、外側シェル（６０２）がコア（６０１）よりも剛性でない、請求項１〜９の何れかに記載の薬物送達デバイス（１００）。
【請求項１１】
ピストン（７００）が中空であり、そしてその近位端で開口部（７０２）を有する、請求項１〜９の何れかに記載の薬物送達デバイス（１００）。
【請求項１２】
−液体薬物（１０４）を保持する容器（１０１）を備える工程；及び
−液体薬物（１０４）内に変位体積を導入する工程であって、それにより液体薬物（１０４）の体積を変位させ、そして液体薬物の体積を容器から投与し、ここで投与される体積が変位体積より少ないか又は等しい、該工程；
を含んでなる、薬物を投与する方法。
【請求項１３】
変位体積を決める、変位部材の少なくとも一部を、液体薬物（１０４）内に導入する工程、を更に含んでなり：ここで、液体薬物（１０４）の投与体積が、変位部材の導入された部分によって囲まれる体積より少ないか又は等しい、請求項１２に記載の方法。
【請求項１４】
液体薬物（１０４）を容器（１０１）から更に投与するために、液体薬物中に配置される変位部材の部分を増大させる工程；を更に含んでなる、請求項１３に記載の方法。
【請求項１５】
−送達すべき液体薬物（１０４）の用量体積を設定する工程；及び
−変位体積が用量体積に本質的に等しくなるまで、変位体積を液体薬物内に導入する工程；を更に含んでなる、請求項１２〜１４の何れかに記載の方法。
【発明の詳細な説明】
【技術分野】
【０００１】
本開示は、薬物送達デバイス及び薬物の投与方法に関する。
【背景技術】
【０００２】
そのような薬物送達デバイスは、正式な医療訓練を受けていない人々が、薬物の正確でかつ事前に規定された用量を投与する必要がある場合の用途を有し得る。特に、そのようなデバイスは、短期間又は長期間に亘って定期的に又は非定期的に薬物が投与される場合の用途を有し得る。
【０００３】
特許文献１には、薬物の複数の用量を投与するための薬物送達デバイスが述べられている。用量の調合中に投与された薬物の量の精度は、できる限り正確であるべきであり、それは、設定された用量と実際に送達される薬物の量の間の差異が使用者の健康にマイナス効果を有し得るためである。
【先行技術文献】
【特許文献】
【０００４】
【特許文献１】ＷＯ２００２／０５８７６Ａ２
【発明の概要】
【発明が解決しようとする課題】
【０００５】
本発明の目的は、薬物の簡単で正確な送達を可能とする薬物送達デバイス及び薬物の投与方法を供することである。
【課題を解決するための手段】
【０００６】
この目的は、請求項１による送達デバイス及び請求項１２による方法の使用を通して達成される。有利な実施態様は、従属請求項の主題である。
【発明の効果】
【０００７】
第一の態様によれば、薬物送達デバイスは、薬物領域において薬物を保持するための容器を含む。容器は、近位端及び遠位端を有し得る。送達デバイスは、容器内に少なくとも部分的に配置されるピストンを更に含む。ピストンは、薬物の用量を容器から投与するために、容器に対して、特に、遠位方向に変位可能である。送達デバイスは、シールを含み得る。
【発明を実施するための形態】
【０００８】
ピストンは、容器の内面から距離を開けて少なくとも部分的に配置され、そうすることによってピストンと容器の間にチャンネルを供する。ピストンは、半径方向に容器の内面から距離を開けて配置され得る。チャンネルは、好ましくは軸方向に、ピストンに沿って伸びる。チャンネルは、薬物領域と流体連通している。シールは、チャンネルを制限するために、特に、近位でチャンネルを制限するために配置される。ピストンはシールに対して、特に、軸方向に移動でき、そして／又は遠位方向に変位可能である。
【０００９】
これは、薬物送達デバイスの簡単で正確な使用に資するという利点を有する。使用者は、多くの事前に設定された又は使用者が設定可能な薬物の用量を投与し得る。ピストンがシールに対して可動で、そしてピストンが容器に、漏れのない直接的な接触をしていることが必要ない故に、容器から投与される薬物の量は、容器の内面が有し得る不規則性に大きく影響され得ない。特に、容器から投与される薬物の体積的な正確さは、ピストンの寸法安定性によって支配され得る。つまり、もしピストンが非常に細かい公差付き（toleranced）ならば、用量の精度は高いであろう。カートリッジ内で薬物をシールするために、カートリッジの孔と周囲で接触するピストンを有するカートリッジにおいてしばしば生じる、変形されたピストンのゆるみによる、カートリッジからの薬物の垂れ（weeping）又は不正確な用量送達のような問題は低減され又は避けられることさえあり得る。
【００１０】
シールは容器に対する動きに抗して固定され得る。シールは容器に固定され得る。シールは容器の近位端に配置され得る。これは、薬物送達デバイスが組み立て易いこと、そして薬物送達デバイスの正確な使用が可能であるという利点を有する。容器は薬物を容器から投与するための出口を有し得る。出口は容器の遠位端に供され得る。
【００１１】
チャンネルの長さは、ピストンがシールに対して遠位方向に移動されるときに増す。
【００１２】
ピストンを側面に沿って囲み得る。シールは環状であり得る。
【００１３】
ピストンは、用量を投与中に及び／又は用量を投与するために、薬物上に圧力を及ぼすことが可能である。薬物はシール上の圧力の少なくとも一部を移し得る。容器へのシールの取り付けによって、用量を投与するときに、薬物によってシール上にかけられる圧力に抵抗でき、特に、薬物によってシール上に及ぼされる圧力に耐え得るように構成され得る。
【００１４】
シールは開口部を含む。開口部の断面は、ピストンの断面に適合され得る。開口部の断面は、シール及びピストンが共通の接触エリアを含むようにピストンの断面に適合され得る。
【００１５】
用量の投与中にシールを通して案内されることを意図されるピストンの少なくとも部分は、その縦軸に沿って一定の断面を含む。
【００１６】
実施態様において、ピストンは剛性のコア及び外側シェルを含む。外側シェルは剛性のコアを囲み得る。外側シェルはシールと接触し得る。外側シェルは、コアの材料とは異なる材料で作られ得る。外側シェルは、コアよりも剛性でない材料で作られ得る。外側シェルは薄いフィルムであり得る。ピストンの圧縮性は、もし、剛性な材料が外側シェルに対して使用されるとしても、剛性のコアによって、都合よく支配される。しかしながら、外側シェルは、ピストントシールの間の漏れ気密性を改善し得る。
【００１７】
別の実施態様において、ピストンは中空である。ピストンは開口部を有する。開口部は、薬物領域から離れて面するピストンのその側上に配置され得る。ピストン内の中空部は開口部を介してアクセスされ得る。開口部はピストンの近位端に配置され得る。薬物は、ピストンの壁によって中空部に進入することから都合よく防がれる。ピストンの内面、特に、中空部の壁の内面には、駆動機構、例えば、ねじ、好ましくは、ラセンねじが供えられ得る。
【００１８】
薬物送達デバイスは駆動機構を含み得る。駆動機構は、用量送達用のピストンを駆動するよう都合よく構成される。ピストンン内の駆動手段は、駆動機構、例えば、ピストンロッドと相互作用するように供され得る。ピストンロッドは駆動手段と隣接し及び／又は係合し得る。ピストンロッド及び駆動手段はねじで係合され得る。
【００１９】
薬物を保持する容器はシリンジ又はカートリッジであり得る。薬物は事前に充填されたカートリッジ内でシールされ得る。
【００２０】
薬物を投与する方法は、液体薬物を保持する容器を供することを含む。変位体積は液体薬物内に導入される。そうすることによって液体薬物の体積は移動される。投与体積は変位体積より少ないか又は等しく及び／又は薬物の移動された体積より少ないか又は等しい。例えば、薬物の投与体積は、もし、容器内に囲まれた気体が存在し、そして薬物が容器を去り得る前に、気体が移動され又は圧縮されなければならないならば、変位体積よりも小さくあり得る。そうでなければ、投与体積は、変位体積に等しくあり得る。各々の場合、投与体積は変位体積によって規定され得る。
【００２１】
単に、容器に対して遠位に移動されるピストンの距離による代わりに、薬物内に導入された体積によって、投与された薬物の体積を規定することによって、用量の正確性が増大され得る。
【００２２】
本方法は、変位部材の少なくとも一部を液体薬物内に導入することを含む。変位部材のこの部分が変位体積を定め得る。変位部材の導入された部分（この体積が変位体積を定め得る）によって囲まれた体積より少ないか又は等しい液体薬物の体積が投与され得る。本方法は、薬物を更に投与するように、液体薬物中に配置される変位部材の部分を増すことを含み得る。
【００２３】
実施態様において、変位部材は、ピストン、特に、更にそれが上述された通りの、そして以下により詳細に述べられるようなピストンであり得る。変位体積は、薬物内に新たに導入された変位部材の部分によって囲まれた体積であり得る。変位体積は、薬物内に新たに導入される変位部材の部分の体積であり得る。
【００２４】
本方法は、投与されるべき液体薬物の用量体積を設定することを含み得る。変位体積は、移動された体積（それは変位体積に等しくあり得る）が用量体積に本質的に等しくなるまで、液体薬物内に導入され得る。変位体積は、移動された体積が用量体積の９０パーセント又はそれ以上、好ましくは、９９パーセント又はそれ以上になるまで、液体薬物内に導入され得る。変位体積は、移動された体積が用量体積の９５パーセント又はそれ以上、好ましくは、９９．５パーセント又はそれ以上になるまで、液体薬物内に導入され得る。液体薬物の投与された量及び設定された用量の差異は、設定された用量に対して２パーセント又はそれ以下、好ましくは、１パーセント又はそれ以下であり得る。
【００２５】
本出願による方法は、好ましくは、ヒト又は動物の体について実行される外科手術又は治療、及び診断方法によって、ヒト又は動物の体を処理するために意図されていないか又は使用されない。本方法は、試験、例えば、実験室環境における薬物送達デバイスの試験の目的に適し得る。
【００２６】
ここで以下に、実施態様を添付図面と関連してより詳細に述べる。
【図面の簡単な説明】
【００２７】
【図１Ａ】容器が満杯の第一の状態における実施態様による薬物送達デバイスを模式的に示す。
【図１Ｂ】幾らかの薬物が既に送達された第二の状態における薬物送達デバイスを模式的に示す。
【図２】更なる実施態様による薬物送達デバイスを模式的に示す。
【図３】実施態様によるピストンを模式的に示す。
【図４】更なる実施態様によるピストンを模式的に示す。
【図５Ａ】図１Ｂの線Ａ−Ａ'に沿った断面図を模式的に示す。
【図５Ｂ】図１Ｂの線Ｂ−Ｂ'に沿った断面図を模式的に示す。
【図６】実施態様による外側シェルを有するピストンの断面図を模式的に示す。
【図７】実施態様による中空部を有するピストンの断面図を模式的に示す。
【００２８】
図１Ａ及び１Ｂにおいて、薬物送達デバイス１００の実施態様が模式的に示される。
【００２９】
薬物送達デバイス１００は容器１０１を含む。薬物１０４は容器１０１中に留められる。薬物１０４は、好ましくは、液体薬物である。容器１０１は、好ましくは、薬物１０４の複数の用量を含有する。薬物１０４は、例えば、インスリン、ヘパリン、成長ホルモンを含み得る。容器１０１は遠位端１１５で出口１０８を有する。薬物１０４は、出口を通して容器から投与され得る。デバイス１００はペン型デバイス、特に、ペン型注射器であり得る。デバイス１００は使い捨ての又は再使用可能なデバイスであり得る。デバイス１００は薬物の固定された用量、又は変更可能な、好ましくは、使用者が設定できる用量を投与するように構成されたデバイスであり得る。デバイス１００は針付きの、又は無針のデバイスであり得る。デバイス１００は注射デバイスであり得る。
【００３０】
薬物送達デバイス１００又はその部品、特に、容器１０１の用語「遠位端」は、デバイス１００の投与端に最も近いデバイス又は部品のその端部に関する。薬物送達デバイス１００又はその部品の用語「近位端」は、デバイスの投与端から最も遠くに離れているデバイス又は部品のその端部に関する。図１において、デバイス１００の「遠位端」には参照符号１１５が割り振られ、そして「近位端」には参照符号１０７が割り振られた。
【００３１】
ピストン１０２は容器１０１内に少なくとも部分的に留められる。ピストン１０２は容器に対して可動である。ピストン１０２は容器１０１に対して遠位方向に動き得る。そのような動きによって、デバイスの操作中に、薬物１０４が出口１０８を通して容器１０１から投与されることが引き起こされ得る。ピストン１０２は容器１０１内に配列される部分１０９を含む。ピストン１０２の更なる部分１１３は容器１０１の外側に配列される。
【００３２】
シール１０３は容器の内部を近位でシールするために配置される。シールはピストン１０２に漏れのない連結を供することが可能である。ピストンとシールの間の境界は、好ましくは、液密である。都合がよいことに、投与操作中及び／又はデバイスが保存位置にあるとき、薬物はピストンとシールの間の境界を全く通過し得ない。シール１０３は、容器１０１に対して、特に、薬物の投与中に、好ましくは、非変位可能で、例えば、動かせない。ピストン１０２はシール１０７に対して変位可能である。ピストンは、投与操作中に、シールと摩擦接触状態にあり得る。図１Ａによる実施態様において、シールの遠位側に配置されるピストン１０２の部分は部分１０９である。シールの近位側に配置されるピストン１０２の部分は部分１１３である。
【００３３】
シールはプラスチック材料を含み又はそれから成り得る。シールは、例えば、臭素化ブチルゴムのようなエラストマーを含み得る。ピストンは、例えば、ポリマー、好ましくは、医用グレードのポリマーのようなプラスチック材料、例えば、ステンレス鋼のような金属、ガラス又はセラミック材料を含み得るか又はそれから成り得る。ピストンは剛性であり得る。ピストンは低圧縮性の材料を含み得る。都合がよいことに、低圧縮性のその材料の圧縮性はピストンの圧縮性を支配する。低圧縮性の材料は、シールの圧縮性よりも小さい圧縮性を有し得る。好ましくは、ピストンは圧縮不可能である。
【００３４】
部分１０９及び／又はピストン１０２は断面１０６を含む。ピストン１０２の断面１０６は、ピストン１０２の縦方向に対して本質的に直角である。部分１０９及び／又はシールを通して案内されることが意図される、特に、薬物内に案内されることが意図されるピストンの部分は、容器の孔から距離を開けて周囲に配置されるように適合される。ピストン１０２の断面は、好ましい実施態様において、その縦軸に沿って又は少なくとも部分的にその縦軸に沿って、好ましくは、シールを通して案内されることが意図されるピストンの部分に沿って一定である。部分１０９及び／又はピストン１０２の断面１０６は容器１０１の内部の断面１１８よりも小さい。断面１１８は容器１０１の内部断面である。容器１０１の断面１１８は容器１０１の広がりの主縦方向に本質的に直角である。
【００３５】
断面１０６が断面１１８よりも小さいため、ピストン１０２の部分１０９の側表面１１１及び容器１０１の内面１１２は互いに対して距離を開けて配置される。表面１１１及び表面１１２は互いに対して周方向に距離を開けて配置される。流体チャンネル１１６は部分１０９と内面１１２の間に供される。流体チャンネル１１６は部分１０９を囲み得る。
【００３６】
流体チャンネル１１６は薬物領域１１４と流体連通している。薬物１０４は容器１０１の薬物領域１１４において主として配置される。薬物領域１１４は容器１０１の内側の領域である。特に、薬物領域１１４は容器１０１の内側の遠位領域である。薬物は、薬物領域１１４から流体チャンネル１１６内に流れ得る。流体チャンネル１１６は薬物で充填される。薬物は、ピストン、シール及び／又は容器、特に、流体チャンネルの領域と直接の接触をし得る。ピストン、シール及び／又は容器は、薬物領域の側上で開いているチャンネルを限定し得る。
【００３７】
以下の議論から明らかになるであろうように、チャンネル１１６の内側に配置される薬物が容器から投与されることが無い故に、部分１０９と内面１１２の間の距離は、できるだけ小さいことが好ましい。従って、チャンネル１１６は、好ましくは、特に、薬物領域の程度と比べて細い。チャンネル１１６の幅は、ピストン１０２と容器１０１の間の摩擦接触又はシール接触を避けるように、都合よく選択される。
【００３８】
チャンネル１１６の近位端を形成するために、シール１０３は容器１０１に動かせないように連結される。シール１０３は、少なくとも部分的に、好ましくは、完全に、ピストン１０２を周囲上で囲む。シール１０３及びピストン１０２はシール可能なようにそして、好ましくは、摩擦的に連結される。薬物１０４はシールによって近位端１０７を介して容器１０１を去ることを防がれる。この目的のために、シール１０３は容器１０１に固定される。シール１０３は容器１０１に対して軸方向の動き及び回転運動に抗して固定される。チャンネル１１６の近位端で、薬物１０４はシール１０３と直接的に接触している。
【００３９】
ピストン１０２をシール１０３及び容器１０１に対して遠位方向に軸方向に進めることによって、薬物は容器から移動されそして投与され得る。
【００４０】
図１Ｂは、図１Ａにおいて示された状況と比べて、シール及び容器に対して遠位方向に移動されたピストン１０２を示す。薬物１０４の内側に配置されるピストン１０２の部分は、図１Ａにおけるよりも大きい。ピストン１０２の遠位端表面１１７からシール１０３への距離１１０は、図１Ａにおける対応する距離１０５よりも大きい。
【００４１】
投与された薬物の量は、ピストン１０２を移動することによって薬物領域１１４内に新たに挿入されたピストン１０２の部分の体積に対応する。ピストンは、薬物の移動された体積が薬物の望まれる及び／又は設定された体積に等しくなるまで、薬物内に導入される。薬物領域１１４内に新たに挿入されたピストン１０２の体積は、シール１０３に対するピストン１０２の断面１０６及び軸方向の移動、例えば、距離１０５と距離１１０の間の差異によって求められる。投与された薬物の量の体積は、薬物１０４内に追加的に導入されるピストン１０２の部分の体積と本質的に等しい。
【００４２】
規定された体積（変位体積）を薬物内に導入することによって、規定された体積に等しい薬物１０４の体積が投与され得る。ピストン１０２をシール１０３に対して遠位に移動することによって、薬物１０４中に配置されるピストン１０２の部分１０９が増大される。同時に、薬物１０４の外側に配置されるピストン１０２の部分１１３が減少される。そうすることによって、薬物１０４の内側に配置されるピストン１０２の体積は増大され得る。ピストン１０２の寸法は周知のものである故に、追加的に挿入される体積は周知のものである。シールの遠位側に配置されるピストンの体積を増加させることによって、薬物によって占められるために利用できる薬物領域の体積が減少される。
【００４３】
薬物の投与された量は、ピストンの追加的に挿入される体積に対応する。薬物の投与された量は容器１０１の形とは無関係である。特に、薬物の投与された量の体積的な精度は、容器の形、特に、内部断面の変化、例えば、直径の変化に起因する不規則性からは分離され、保護され及び／又は独立し得る。通常、容器１０１の内面１１２は一定ではなく、著しい不規則性を含む。容器の形の変化は加工の許容誤差からもたらされ得る。現在、投与された薬物の量はピストンの寸法、特に、薬物内に新たに挿入されたピストンの体積のみに依存し得る故に、容器の形は薬物の投与の精度には無関係であり得る。薬物の投与体積と薬物の設定された用量の体積の相違は５パーセント又はそれ以下であり得る。別の実施態様において、その相違は２パーセント又はそれ以下、１パーセント又はそれ以下又は０．５パーセント又はそれ以下でさえある。容器における製造欠陥は、有利なことに、薬物内に新たに導入されるピストンのその部分の体積によって定められ得る薬物の投与された量に影響を及ぼさない。もし、それとは対照的に、容器と周囲で即座に接触し、そしてその結果、「シール」として同時に役立つピストンが使用されるとすれば、投与された量は容器の直径における変化に著しく依存する。
【００４４】
薬物を投与するために、シール１０３及び容器１０１に対して遠位にピストン１０２を移動するとき、薬物１０４上に圧力がかけられる。薬物送達デバイスの最初の使用中に、ピストンの移動によって、薬物が薬物領域１１４から移動され得て、そして移動された薬物がチャンネル１１６内に押し付けられる。最初の使用の前に、薬物領域１１４及び／又はチャンネル１１６は空気で少なくとも部分的に充填され得る。空気はデバイスの最初の投与操作によって、例えば、プライミング操作によって容器から除去され得る。または、チャンネルは、最初の操作が始められる前に薬物で充填され得る。薬物で既に充填された又は充填されるチャンネル１１６中の薬物は、薬物の投与中にシール１０３上に圧力をかける。シール１０３上に薬物によってかけられた圧力は、薬物の投与中に薬物１０４上にピストン１０２によってかけられた圧力に等しい。
【００４５】
容器１０でのシール１０３の取り付けによって、用量を投与するときに、薬物１０４によってかけられる圧力に抵抗できる。容器の内側の圧力は、容器１０１の出口を通して薬物が投与されるまでピストン１０２の移動中に増大する。容器１０１及びシール１０３は、かけられた圧力が容器の出口を通って薬物を投与することによって開放され得るように、形成される。ピストン１０２は、薬物の投与中の圧力下でさえ、その体積を保持する。ピストン１０２は、ピストン１０２が、薬物の投与中にピストン上に作用する圧力下でさえ、変形しないか又は著しく変形しないほどに、好ましくは、剛性である。容器及びシールは、薬物の投与中にかけられた圧力によって実質的に変形されない。
【００４６】
図１Ａ及び１Ｂによる実施態様とは対照的に、図２の実施態様による薬物送達デバイスは、容器１０１の近位端１０７に配置されたシール１０３を含まない。
【００４７】
むしろ、図２の実施態様において、シール１２１は容器１０１の内側に配置される。シール１２１の外表面は容器の内面に取り付けられ得て、好ましくは、恒久的に取り付けられ得る。図２による実施態様はニードルデバイス１１９を含む。図２による実施態様は駆動機構１２０を更に含む。
【００４８】
ニードルデバイス１１９は、容器の遠位端１１５で容器１０１に取り付けられる。ニードルデバイス１１９は薬物領域１１４及び容器の出口１０８と流体連通している。薬物はニードルデバイス１１９を通して容器から投与され得る。薬物は、使用者によってニードルデバイスを通して皮下注射的に投与され得る。
【００４９】
駆動機構１２０は、投与されるべき用量を設定するための手段を含み得る。駆動機構１２０は薬物送達デバイスを通して／その内に、好ましくは作動手段からピストン１０２に、軸方向の動きを移すための手段を更に含み得る。駆動機構は、ピストンを遠位方向に駆動するように適合される（明らかには示されていない）ピストンロッドを含み得る。ピストンロッドの遠位端面はピストンの近位端面を駆動し、好ましくは、隣接するように配置され得る。駆動機構はピストンと開放可能に連結され得る。駆動機構は歯車及び／又は電気的作動器を含み得る。
【００５０】
容器は、薬物で事前に充填され得るカートリッジであり得る。または、容器はシリンジ型容器であり得る。
【００５１】
薬物送達デバイス１００の操作中に、使用者は容器１０１から投与されるべき薬物１０４の望まれる用量を設定し得る。用量の設定は、投与されるべき薬物の用量体積の設定を含み得る。薬物の用量体積を投与するために、使用者は、例えば、駆動機構１２０上に、例えば、駆動機構の（明確には示されていない）用量ボタン上に手動で力をかけることによって、薬物送達デバイスの駆動機構を作動し得る。この力は、例えば、ピストンロッドによってピストン１０２に移される。力はピストン１０２に直接的に、又は電気的作動器及び／又は歯車を介して移され得る。
【００５２】
かけられた力のせいで、ピストン１０２はシール１２１に対して移動される。ピストン１０２は、それが薬物内に動かされるように、シール１２１に対して移動される。ピストン１０２は、投与されるべき薬物の用量に対応する距離だけ遠位方向に動かされる。ピストンは、ピストンの変位体積が薬物内に挿入されるように移動される。変位体積は、その後に投入される薬物の量の体積と実質的に等しい。もし、薬物送達デバイスが複数用量の送達デバイスであるならば、ピストンは薬物の更なる体積を置き換えるために、そして薬物の更なる体積を容器から投与するために、シールに対して遠位方向に数回動かされ得る。
【００５３】
各々分離した用量の投与操作中に、薬物内に新たに導入されたピストンの部分の体積は、固定された用量が、各用量の投与操作中に薬物送達デバイスによって送達されるように固定され得る。実施態様において、薬物送達デバイスは固定された用量のデバイスである。
【００５４】
別の実施態様において、各用量の投与操作中に、薬物１０４中に挿入されるピストン１０２の部分の体積は変り得て、そして用量設定手段を介して使用者によって設定された用量に対応し得る。実施態様において、薬物送達デバイスは変更可能な用量デバイスである。
【００５５】
デバイスは如何なる形、例えば、コンパクトな又はペン型のものでもあり得る。更に、該デバイスは無針でもあり得る。特に、薬物送達デバイスは複数の事前に規定された用量を供する、使い捨ての針付きペン型デバイスであり得る。薬物送達デバイスは正式な医療訓練を受けていない人々による使用のために設計される。
【００５６】
デバイスは（示されていない）更なるエレメント、例えば、センサ及び／又は電子回路を含み得る。デバイスは、使用者に情報を供するための表示を含み得る。この情報は、残っている薬物の用量数及び／又はある容器から投与された用量数についての情報を含み得る。
【００５７】
用語「ピストンロッド」は、好ましくは、ハウジングを通して／その内で操作するように適合された、薬物送達デバイスを通して／その内で軸方向の動きを、好ましくは、駆動部材からピストンに、好ましくは、注射できる製品を排出する／投与する目的で移すように設計された部品を意味するものとする。ピストンロッドは可撓性であり得るか又はあり得ない。それは単純なロッド、親ねじ、ラックピニオンシステム、ウオーム歯車システムなどであり得る。用語「ピストンロッド」は、好ましくは、円形の又は非円形の断面を有する部品を更に意味するもととする。それは単体の物又は複数部品構造でもあり得る。
【００５８】
薬物送達デバイスは更なるエレメント、例えば、ハウジングを含み得る。用語「ハウジング」は、好ましくは、特定の部品の近位運動を防ぐための一方向性軸連結を有し得る如何なる外部ハウジング（「主ハウジング」、「本体」、「シェル」）又は内部ハウジング（「挿入物」、「内部本体」）をも意味するものとする。ハウジングは、薬物送達デバイス又はその如何なる機構の安全で正確でそして快適な取り扱いを可能にするように設計され得る。それは、液体、粉塵、ごみなどのような汚染物質への暴露を制限することによって、薬物送達デバイスの如何なる内部部品（例えば、シール、容器、ピストン）をも収容し、固定し、保護し、案内し及び／又は係合するように設計され得る。一般に、ハウジングは、チューブ状又は非チューブ状の単一の又は複数の部分の部品であり得る。通常、外部ハウジングは、そこから医薬品の多数の用量が投与され得る容器を収容するために役立つ。
【００５９】
薬物は、インスリン、例えば速効作用、短期作用、中期作用又は長期作用のインスリン、成長ホルモン、低分子量ヘパリン及び／又はそれらの類似体及び／又は誘導体などを含み得る。用語「インスリン」は、ヒトインスリン又はヒトインスリン類似体若しくは誘導体を含む、インスリン、インスリン類似体、インスリン誘導体又はそれらの混合物を意味するものとする。インスリンの類似体の例には、制限することなく、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；Ｂ２８位置のプロリンがＡｓｐ、Ｌｙｓ、Ｌｅｕ、Ｖａｌ又はＡｌａによって置換され、そしてここでＢ２９位置のＬｙｓがＰｒｏによって置換され得るヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン又はＤｅｓ（Ｂ３０）ヒトインスリンが挙げられる。インスリン誘導体の例には、制限することなく、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン及びＢ２９−Ｎ−（ω−カルボキシヘプタデカノイル）ヒトインスリンが挙げられる。
【００６０】
更に、デバイスは針を含み得るか又は無針であり得る。特に、薬物送達デバイスは、子供及び大人を含む患者のような正式な医療訓練を受けていない人々による使用のために設計される、機械的な及び手動の用量設定機構及び用量送達機構を有する、複数の事前に規定された用量を供する、使い捨ての針付き、ペン型デバイスであり得る。デバイスは、電気的な用量設定機構及び用量送達機構を含み得る。好ましくは、薬物送達デバイスは注射器型のものである。
【００６１】
図３は、本開示による薬物送達デバイスにおいて使用され得るピストン３０１の例示的実施態様を模式的に示す。ピストン３０１は第一のエッジ３０３及び第二のエッジ３０４を含む表面３０２を含む。第二のエッジ３０４は、第一のエッジ３０３に本質的に直角である。第三のエッジ３０５は第一のエッジ及び第二のエッジに本質的に直角である。ピストン３０１は直方体形を基本的に含む。ピストンの体積は、三つのエッジ３０３、３０４、３０５の長さによって定められる。ピストンの軸方向はピストンの最長エッジに沿って、例えば、エッジ３０５に沿って伸び得る。ピストンは中空体であり得て、又は中身のある本体であり得る。
【００６２】
ピストンの変位体積は、エッジ３０５に沿って伸び、そして薬物内に導入されるピストン３０１の部分並びに、第一のエッジ３０３の長さ及び第二のエッジ３０４の長さによって定められる。
【００６３】
図４は、本開示による薬物送達デバイスにおいて使用され得るピストン４０１の更なる例示的実施態様を示す。ピストンは本質的に円筒状の形を含み、その体積は直径４０３及び長さ４０４によって定められる。ピストンは中空体であり得て、又は中身のある本体であり得る。表面４０２はピストンの縦軸に直角に走行する。
【００６４】
ピストン４０１の変位体積は長さ４０４に沿って伸び、そして薬物内に導入されるピストン４０１の部分並びに直径４０３によって定められる。
【００６５】
図５Ａは、図１Ｂにおいて示される線Ａ−Ａ'に沿った薬物送達デバイ１００の断面図を模式的に示す。ピストン１０２はシール１０３の開口部１２２中に配置される。ピストン１０２の断面及び開口部１２２の断面は、ピストン及びシールが共通の接触エリア１２３を含むように互いに対して適合される。ピストン１０２の断面及び開口部１２２の断面は、ピストン及びシールが互いに接触するように互いに対して適合される。シールは、示された断面図においてピストンを全体的に囲む。ピストンは円筒状の断面を含み、そしてシールはリング状の形を含む。ピストン及びシールは、共通の接触エリア１２３で薬物が連結を全く通過できないように連結される。共通の接触エリア１２３でのピストン及びシールの連結は、漏れがない。
【００６６】
図５Ｂは、図１Ｂにおいて示される線Ｂ−Ｂ'に沿った薬物送達デバイ１００の断面図を模式的に示す。容器１０１は、容器とピストンの間でチャンネル１１６が形成されるようにピストン１０２を囲む。チャンネルは、薬物送達デバイスの操作中に、薬物で充填され得るか又はデバイスがプライミングされる前に薬物で既に充填され得る。チャンネルはシールによって近位で制限される。ピストンの形は、容器とピストンの間にチャンネルが形成され得るように容器の形に適合される。ピストンの断面及び容器の内部の断面の互いに対する適合のために、チャンネルは、できる限り小さいことが好ましい。このように、最後の用量を投与した後、薬物の最小の量がチャンネル中に及び容器中に残る。
【００６７】
図６は、更なる実施態様によるピストンの断面図を模式的に示す。
【００６８】
ピストン６００はコア６０１、及びコア６０１を囲んでいる外側シェル６０２を含む。外側シェル６０２は、コアが含む材料とは異なる材料を含み得る。外側シェルの材料はコア６０１によって含まれる材料よりも可撓性及び弾性であり得る。しかしながら、ピストンの圧縮性はやはり剛性のコアによって支配され得る。外側シェルは、容器を近位でシールする為のシールトピストンの間の連結の緊密性を改善し得る。外側シェルは、例えば、１ミリメータ又はそれ以下、０．５ミリメータ又はそれ以下、０．２ミリメータ又はそれ以下、又は０．１ミリメータ又はそれ以下の厚みを有する薄いフィルムであり得る。コア６０１は、若し、異なるピストンが使用されても薬物の投与中に生じ得る変形に抗するほど十分に剛性でありそして非可撓性である。コア６０１は、薬物の投与中に影響され得る圧力に抗するほど十分に剛性でありそして非可撓性である。
【００６９】
操作中に、外側シェル６０２は、図１Ａ、１Ｂ、２又は５Ａに関連して述べられた通り、薬物容器に固定されるシールと接触している。シール及び外側シェルの接触は非常にきつくそして高度に耐漏れ性がある。従って、ピストン６００とシールの連結は非常に耐漏れ性がある。用量の精度が増大され得るように、硬いコアのせいで、薬物の投与中にピストン６００は殆ど変形されない。ピストン６００は、薬物の投与中でさえ、その元の形及び／又は体積を保持する。操作中に、薬物内に導入されるピストンの追加の体積と実質的に等しい薬物の体積が容器から投与されるであろう。追加的に導入されるピストン６００の体積は外側シェル６０２によって囲まれた体積によって定められ得る。
【００７０】
外側シェル６０２は、コア６０１を、好ましくは、少なくとも周囲上を囲み、又はコア６０１の表面のより多くの部分、特に、薬物の内部に既に配置された又は配置され得るその部分を覆い得る。外側シェルは、コアの材料よりも、薬物と直接的に接触することになるためにより適する材料で作られ得る。図６において、ピストン６００の断面は矩形であるように示される。別の実施態様において、ピストンの断面は異なる設計を含み得る。ピストンの断面は、例えば、リング状の外側シェルによって囲まれた円形のコアを含み得る。
【００７１】
図７はピストン７００を示す。ピストン７００は中空部７０１を有する。開口部７０２が備わっている。開口部７０２は中空部７０１へのアクセスを供する。開口部７０２はピストン７００の近位端７０３に供され得る。中空部７０１は都合よく近位開口部７０２を通してのみ近づける。特に、中空部７０１は、好ましくは、ピストン７００の遠位端７０４から近づけない。薬物はこのように、中空部に進入すること、そして開口部７０２を介して意図せずに容器及びピストンを去ることを防がれる。中空部７０１内に、駆動手段７０５、例えば、雄ねじ又は雌ねじ、好ましくは、ラセンねじが供される。
【００７２】
駆動部材７０６、例えば、ピストンロッドは中空部７０１内に配置される。駆動部材７０６は、好ましくは、薬物送達デバイスの駆動機構の部分、例えば、前述された駆動機構１２０の部分である。駆動部材７０６は、都合よく、駆動手段７０５と相互作用するために、特に、力をピストンに移すために供され、その結果、ピストンを（図７においては明確には示されていない）対応するシールに対して前進させる。駆動部材及び駆動手段は係合するように及び／又は隣接するように設計され得る。駆動部材７０６はピストン７００とねじで係合され得る。この目的のために、雄ねじ又は雌ねじジ、好ましくは、ラセンねじであり得るねじ７０７は駆動部材７０６中に、特に、中空部７０１の内壁上に供され得る。
【００７３】
本明細書で使用する用語、薬物は、好ましくは少なくとも１つの薬学的に活性な化合物を含む医薬製剤を意味し、
ここで一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は、予防のための、少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００７４】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００７５】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００７６】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００７７】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と連結してもよく；
【００７８】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８  ［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００７９】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００８０】
多糖類としては、例えば、ヒアルロン酸、ヘパリン、低分子量ヘパリン、又は超低分子量ヘパリン、若しくはその誘導体などのグルコアミノグリカン、又はスルホン化された、例えば、上記多糖類のポリスルホン化形体、及び／又は、薬学的に許容可能なその塩がある。ポリスルホン化低分子量ヘパリンの薬学的に許容可能な塩の例としては、エノキサパリンナトリウム塩がある。
【００８１】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１−Ｃ６アルキル基；場合により置換されるＣ２−Ｃ６アルケニル基；場合により置換されるＣ６−Ｃ１０アリール基、又は場合により置換されるＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００８２】
薬学的に許容可能な溶媒和物としては、例えば、水和物がある。
【００８３】
本発明の保護範囲は上述の実施例に限定されない。本発明は、各新規特性及び特性の各組合せにおいて具体化され、それは、もし、特長又は特長の組合せが請求の範囲又は実施例において明確に述べられていないとしても、請求の範囲において述べられている如何なるこの特長のあらゆるこの組合せをも特に含む。
【符号の説明】
【００８４】
１００  薬物送達デバイス
１０１  容器
１０２  ピストン
１０３  シール
１０４  薬物
１０５  距離Ｉ
１０６  断面
１０７  端
１０８  出口
１０９  部分
１１０  距離ＩＩ
１１１  表面
１１２  表面
１１３  部分
１１４  薬物領域
１１５  端
１１６  チャンネル
１１７  表面
１１８  断面
１１９  ニードルデバイス
１２０  駆動機構
１２１  シール
１２２  開口部
１２３  接触エリア  エリア
３０１  ピストン
３０２  表面
３０３  エッジＩ
３０４  エッジＩＩ
３０５  エッジＩＩＩ
４０１  ピストン
４０２  表面
４０３  断面
４０４  長さ
６００  ピストン
６０１  コア
６０２  外側シェル
７００  ピストン
７０１  中空部
７０２  開口部
７０３  近位端
７０４  遠位端
７０５  駆動手段
７０６  駆動部材
７０７  ねじ
【図１Ａ】
2013504397.tif 000003
【図１Ｂ】
2013504397.tif 000004
【図２】
2013504397.tif 000005
【図３】
2013504397.tif 000006
【図４】
2013504397.tif 000007
【図５Ａ】
2013504397.tif 000008
【図５Ｂ】
2013504397.tif 000009
【図６】
2013504397.tif 000010
【図７】
2013504397.tif 000011
【国際調査報告】
2013504397.tif 000012
2013504397.tif 000013
2013504397.tif 000014
2013504397.tif 000015
2013504397.tif 000016